(57)【特許請求の範囲】
【請求項１】
建物の軸組の内側に取り付けられる金属製内壁枠を床下地に固定するために、一端側と他端側および中央部にビス孔をそれぞれ設け、中央部を表面側から裏面側へ折り曲げて形成されている薄板からなることを特徴とする金属製内壁枠固定プレート。
【請求項２】
表面側から裏面側への折り曲げ箇所が、一端側と中央部のビス孔の中間でなされることを特徴とする請求項１に記載の金属製内壁枠固定プレート。
【請求項３】
中央部と他端側のビス孔の中間に位置する両側縁に切り溝を形成したことを特徴とする請求項１または２に記載の金属製内壁枠固定プレート。
【発明の詳細な説明】
【０００１】
【発明の属する技術分野】
本発明は、建物の軸組の内側に取り付けられる内壁の枠体である金属製内壁枠を床下地に固定する場合に用いる金属製内壁枠固定プレートに関する。
【０００２】
【従来の技術】
金属製内壁枠自体が新しい構成であるため、該金属製内壁枠の下端部を固定する手順に好適な従来の技術というものは存在しなかった。
【０００３】
【発明が解決しようとする課題】
本発明は、建物の軸組の内側に金属製内壁枠を取付ける際に、該金属製内壁枠を手間、時間を要することなく容易に床下地に固定することを可能とする金属製内壁枠固定プレートを提供することを目的とするものである。
【０００４】
【課題を解決するための手段】
この請求項１に記載の金属製内壁枠固定プレートは、建物の軸組の内側に取り付けられる金属製内壁枠を床下地に固定するために、一端側と他端側および中央部にビス孔をそれぞれ設け、中央部を表面側から裏面側へ折り曲げて形成されている薄板からなることを特徴とするものである。
【０００５】
また、この発明の請求項２に記載の金属製内壁枠固定プレートは、前記請求項１に記載の金属製内壁枠固定プレートにおいて、表面側から裏面側への折り曲げ箇所が、一端側と中央部のビス孔の中間でなされることを特徴とするものである。
【０００６】
また、この発明の請求項３に記載の金属製内壁枠固定プレートは、前記請求項１または２に記載の金属製内壁枠固定プレートにおいて、中央部と他端側のビス孔の中間に位置する両側縁に切り溝を形成したことを特徴とするものである。
【０００７】
【発明の実施の形態】
以下、本発明の実施の形態を図面に基づき具体的に説明する。
本発明の金属製内壁枠固定プレート１は、図１乃至図６に示すように、建物の軸組１６の内側における金属製内壁枠１０を床下地２０に固定する際に使用されるものである。
【０００８】
図１および図２に示すように、金属製内壁枠固定プレート１は、全体が鋼製の薄板からなっており、一端側２と他端側３および中央部４にビス孔５、６および７をそれぞれ設け、前記中央部４は、前記一端側２と前記中央部４のビス孔６の中間で表面側から裏面側へ折り曲げられ、折り曲げ箇所８を形成している。また、前記他端側３と前記中央部４のビス孔６との中間に位置する両側縁に切り溝９を形成している。
【０００９】
前記金属製内壁枠固定プレート１の構成材料としては、金属製内壁枠１０を保持できる剛性と多少の折曲性を有するものであれば、任意の材料を用いることができ、例えば、アルミニウム等の金属、硬質樹脂等があげられる。
【００１０】
また、ここで述べられる金属製内壁枠１０とは、建物の軸組１６の内側に取り付けられる枠体のことであり、枠体としての剛性を有するものであれば、前記金属製内壁枠プレート１と同様に、任意の材料を用いることができる。
【００１１】
なお、この実施形態においては、前記金属製内壁枠１０の水平部材である上枠と下枠には、鋼製のランナー１１と、垂直部材である縦枠には、鋼製のスタッド１２が用いられており、前記ランナー１１とスタッド１２を組み合わせてなる枠体内に、内部断熱材１３を取り付け、その表面に防湿シート１４を施し、さらにその裏面には、裏面断熱材１５を取り付けた構成となっている。
【００１２】
次に、以上のように構成される金属製内壁枠固定プレート１を用いた金属製内壁枠１０の固定手順について説明する。
【００１３】
まず、図４に示すように、あらかじめ工場等でランナー１１の所定箇所にビス孔を複数個設け、金属製内壁枠固定プレート１を金属製内壁枠１０の底面に沿う平面で回動自在となるように、ねじ１７をビス孔５に通してねじ止めし、前記金属製内壁枠１０に接続する。その後、前記金属製内壁枠１０を組み立てていく。このとき、前記金属製内壁枠１０の組み立て作業や建築現場への運搬時および搬入時の妨げとならないように、前記金属製内壁枠１０の底面から前記金属製内壁枠固定プレート１の他端部３がはみ出ないようにしておく。
【００１４】
次に、建築現場において、前記金属製内壁枠１０を横向きに保持し、前記金属製内壁枠固定プレート１を図示しない金槌等の金具を用いて前記金属製内壁枠１０の下端部の長手方向と前記金属製内壁枠固定プレート１の他端側３が略平行になるまで回転させる。
このとき、中央部４と他端側３のビス孔との中間の両端側に形成されている切り溝９によって、前記金属製内壁枠固定プレート１の他端側３と、前記金属製内壁枠１０の下端部の長手方向が略平行になるまで回転したかどうかを確認する。
【００１５】
また、中央部４は、表面側から裏面側へ折り曲げられ、折り曲げ箇所８を形成しているので、図示しない金槌等の工具が、前記金属製内壁枠固定プレート１の側面にあたりやすくなっている。
【００１６】
次に、図５に示すように、前記金属製内壁枠固定プレート１の底面からビス孔６にビス１８を打ち、前記金属製内壁枠１０に前記金属製内壁枠固定プレート１を固定する。
前記金属製内壁枠固定プレート１と前記金属製内壁枠１０を固定したことにより、折り曲げ箇所８は略水平となり、前記金属製内壁枠プレート１は、前記金属製内壁枠１０の底面と沿うようになる。このとき、前記折り曲げ箇所８は、多少の折曲性を有しているので、ビス１８を打つことによって切断することはない。なお、ビス孔５および６は、一端側２および３の任意の位置に設けてもよいが、実施形態のように、前記ビス孔５および６を略対角線上に設けると、より強固に前記金属製内壁枠プレート１を前記金属製内壁枠１０に固定できる。
【００１７】
次に、図３に示すように、前記金属製内壁枠１０を軸組１６に固定している金属製内壁枠上部固定金具１９に嵌め込み、図示しない床墨の位置に合わせて床下地２０の所定位置に仮置きする。
【００１８】
この後、金属製内壁枠固定プレート１の延出部分のビス孔７にビス２１を打ちビス止めすることにより、金属製内壁枠１０を前記床下地２０に固定する。
【００１９】
【発明の効果】
以上説明したように、この発明の請求項１に記載の金属製内壁枠固定プレートによると、一端側と他端側および中央部にビス孔を形成し、金属製内壁枠を床下地に前記金属製内壁枠固定プレートを用いて固定するようにしたので、前記金属製内壁枠の固定作業に手間を要することなく、容易に作業を行なうことができ、施工時間も短縮できるという利点がある。また、作業者の身体への負担も軽減できるという利点がある。
【００２０】
また、工場等での取り付け時において、一端側のビス孔のみねじ止めし、回動自在としているので、前記金属製内壁枠の組み立て時および運搬時に金属製内壁枠固定プレートが邪魔にならないように前記金属製内壁枠の底面から前記金属製内壁枠固定プレートの他端部が出ないようにしておくことができるという利点がある。
【００２１】
そして、請求項２に記載の金属製内壁枠固定プレートによると、表面側から裏面側への折り曲げ箇所が一端側と中央部ビス孔の中間でなされていることを特徴としているので、前記金属製内壁枠固定プレートを回転させるときに、前記金属製内壁枠固定プレートの側面に金槌等の工具があたりやすく、容易に回転させることができるという利点がある。
【００２２】
さらに、請求項３に記載の金属製内壁枠固定プレートによると、中央部と多端部のビス孔との中間の両側縁に切り溝を形成したことを特徴としているので、前記金属製内壁枠固定プレートを回転させたときに、前記金属製内壁枠固定プレートの他端部と、金属製内壁枠の下端部の長手方向が略平行になるまで回転したかどうかを確認できるという利点がある。
【図面の簡単な説明】
【図１】実施形態に係る金属製内壁枠固定プレートを示す斜視図
【図２】実施形態に係る金属製内壁枠固定プレートを示す側面図
【図３】金属製内壁枠固定プレートを用いた金属製内壁枠の固定手順の一例を示す斜視図
【図４】金属製内壁枠固定プレートを用いた金属製内壁枠の固定手順の一例を示す図３のＡ−Ａ部分断面図
【図５】金属製内壁枠固定プレートを用いた金属製内壁枠の固定手順の一例を示す図３のＡ−Ａ部分断面図
【図６】金属製内壁枠固定後の図３のＡ−Ａ部分断面図
【符号の説明】
１    金属製内壁枠固定プレート
２    一端側
３    他端側
４    中央部
５、６、７    ビス孔
８    折り曲げ箇所
９    切り溝
１０    金属製内壁枠
１６    軸組
２０    床下地
【図１】
0003841980.tif 000002
【図２】
0003841980.tif 000003
【図３】
0003841980.tif 000004
【図４】
0003841980.tif 000005
【図５】
0003841980.tif 000006
【図６】
0003841980.tif 000007